(57)【要約】【課題】便の水分が吸収体をスムーズに透過し、便の水分を便インジケータまで到達させることが可能な吸収性物品を提供すること。【解決手段】展開状態の平面視にて、長手方向と幅方向と厚さ方向とを有し、液吸収性の吸収体（２１）と、便と接触することにより所定の反応を呈する便インジケータ（４０）とを有する吸収性物品（１）であって、前記吸収体（２１）は、前記幅方向の中央部に低坪量部（２１Ａ）を有し、前記低坪量部（２１Ａ）の坪量は、前記低坪量部（２１Ａ）に前記幅方向の外側から隣接する領域（２１Ｂ）の坪量よりも低く、前記便インジケータ（４０）は、前記吸収体（２１）の前記厚さ方向の非肌側に設けられており、前記便インジケータ（４０）と前記低坪量部（２１Ａ）とは、前記長手方向及び前記幅方向において重複する部分を有する吸収性物品。【選択図】図２
2020081342.tif 000002
【特許請求の範囲】
【請求項１】
展開状態の平面視にて、長手方向と幅方向と厚さ方向とを有し、
液吸収性の吸収体と、
便と接触することにより所定の反応を呈する便インジケータと
を有する吸収性物品であって、
前記吸収体は、前記幅方向の中央部に低坪量部を有し、
前記低坪量部の坪量は、前記低坪量部に前記幅方向の外側から隣接する領域の坪量よりも低く、
前記便インジケータは、前記吸収体の前記厚さ方向の非肌側に設けられており、
前記便インジケータと前記低坪量部とは、前記長手方向及び前記幅方向において重複する部分を有する
ことを特徴とする吸収性物品。
【請求項２】
請求項１に記載の吸収性物品であって、
前記低坪量部は、少なくとも前記幅方向の中央部において坪量がゼロである領域を有する
ことを特徴とする吸収性物品。
【請求項３】
請求項１又は２に記載の吸収性物品であって、
前記低坪量部は、少なくとも一部において、前記低坪量部に前記幅方向の外側から隣接する領域の密度よりも密度が高い高密度領域を有している
ことを特徴とする吸収性物品。
【請求項４】
請求項３に記載の吸収性物品であって、
前記便インジケータは、前記厚さ方向において、前記高密度領域の非肌側に設けられており、
前記便インジケータと前記高密度領域とは、前記長手方向及び前記幅方向において重複する部分を有する
ことを特徴とする吸収性物品。
【請求項５】
請求項１から請求項４のいずれか１項に記載の吸収性物品であって、
前記長手方向において、前記低坪量部の中心は、前記吸収性物品の中心よりも後側に位置している
ことを特徴とする吸収性物品。
【請求項６】
請求項５に記載の吸収性物品であって、
前記長手方向において、前記低坪量部の前側端は、前記吸収性物品の中心よりも後側に位置している
ことを特徴とする吸収性物品。
【請求項７】
請求項１から請求項６のいずれか１項に記載の吸収性物品であって、
前記低坪量部は、前記吸収性物品の前記長手方向の中心よりも後側に配置されている面積が、前記吸収性物品の前記長手方向の中心よりも前側に配置されている面積よりも大きく、
前記便インジケータは、前記吸収性物品の前記長手方向の中心よりも後側に配置されている面積が、前記吸収性物品の前記長手方向の中心よりも前側に配置されている面積よりも大きい
ことを特徴とする吸収性物品。
【請求項８】
請求項１から請求項７のいずれか１項に記載の吸収性物品であって、
前記便インジケータの尿に対する反応は、前記便インジケータの便に対する反応と異なる
ことを特徴とする吸収性物品。
【請求項９】
請求項１から請求項８のいずれか１項に記載の吸収性物品であって、
前記吸収体よりも前記厚さ方向の非肌側に設けられたバックシートを有し、
前記便インジケータは、前記厚さ方向において、前記低坪量部と前記バックシートとの間に位置し、便と接触すると視覚的に変化する
ことを特徴とする吸収性物品。
【請求項１０】
請求項１から請求項９のいずれか１項に記載の吸収性物品であって、
前記厚さ方向において、前記吸収体と接するように配置されるセカンドシートをさらに備え、
前記セカンドシートと前記低坪量部とは、前記長手方向及び前記幅方向において重複する部分を有する
ことを特徴とする吸収性物品。
【請求項１１】
請求項１から請求項１０のいずれか１項に記載の吸収性物品であって、
前記便インジケータの前記長手方向の長さは、前記低坪量部の前記長手方向の長さよりも長い
ことを特徴とする吸収性物品。
【請求項１２】
請求項１から請求項１０のいずれか１項に記載の吸収性物品であって、
前記便インジケータは、前記長手方向及び前記幅方向において、前記低坪量部の両端部よりも内側に位置する
ことを特徴とする吸収性物品。
【請求項１３】
請求項１から請求項１２のいずれか１項に記載の吸収性物品であって、
前記吸収体よりも前記厚さ方向の肌側に設けられたトップシートと、
前記トップシートよりも前記厚さ方向の非肌側に設けられたセカンドシートと
をさらに備え、
前記便インジケータは、前記厚さ方向において、前記吸収体の前記低坪量部と前記バックシートとの間に配置され、
前記幅方向において、前記低坪量部と対応する領域にて、前記トップシートと前記セカンドシートとが前記厚さ方向に接合されている
ことを特徴とする吸収性物品。
【請求項１４】
請求項１３に記載の吸収性物品であって、
前記吸収体は、吸収性コアと、前記吸収性コアの肌側面及び非肌側面を覆うコアラップシートとを有し、
前記幅方向において、前記低坪量部と対応する領域にて、前記セカンドシートと前記コアラップシートとが前記厚さ方向に接合されている
ことを特徴とする吸収性物品。
【請求項１５】
請求項１４に記載の吸収性物品であって、
前記吸収体よりも前記厚さ方向の非肌側に設けられたバックシートを有し、
前記幅方向において、前記低坪量部と対応する領域にて、前記コアラップシートと前記バックシートとが前記厚さ方向に接合されている
ことを特徴とする吸収性物品。
【請求項１６】
請求項１４又は１５に記載の吸収性物品であって、
前記吸収体の前記低坪量部は、少なくとも前記幅方向の中央部において坪量がゼロである領域を有し、
前記幅方向において、前記坪量がゼロである領域と対応する領域にて、前記トップシートと、前記セカンドシートと、前記コアラップシートと、前記バックシートとが前記厚さ方向に接合されている
ことを特徴とする吸収性物品。
【請求項１７】
請求項１６に記載の吸収性物品であって、
前記コアラップシートは、前記吸収性コアの肌側面を覆う肌側部と、非肌側面を覆う非肌側部を有し、
前記幅方向において、前記坪量がゼロである領域と対応する領域にて、前記コアラップシートの前記肌側部と前記非肌側部とが前記厚さ方向に接合されている
ことを特徴とする吸収性物品。
【請求項１８】
請求項１から請求項１７のいずれか１項に記載の吸収性物品であって、
前記吸収体の前記低坪量部は、少なくとも前記幅方向の中央部において坪量がゼロである領域を有し、
前記便インジケータと前記坪量がゼロである領域とは、前記長手方向及び前記幅方向において重複する部分を有し、
前記吸収体の前記厚さ方向の非肌側において、尿と接触することにより前記所定の反応とは異なる反応を呈する一対の尿インジケータを設け、
前記吸収体において前記低坪量部以外の部分である非低坪量部と、前記一対の尿インジケータとは、前記長手方向及び前記幅方向において重複する部分を有する
ことを特徴とする吸収性物品。
【発明の詳細な説明】
【技術分野】
【０００１】
本発明は、吸収性物品に関する。
【背景技術】
【０００２】
吸収性物品の一例として、使い捨ておむつが挙げられる。特許文献１には、吸収体の幅方向中央部に、周囲より吸収素材目付けの低い低目付け部及び吸収素材を有さない無目付け部の少なくとも一方からなるポケットを有し、吸収体と液不透過性シートとの間に、排泄液分との接触により変色する排泄表示部を非ポケット部と重なるように設けた使い捨ておむつが開示されている。また、特許文献２には、吸収性コアと裏面シートとの間の所定部位に、水分と接触すると視覚的に変化する親水性の組成物を配し、組成物が配されている部位に対応して吸収性コアに他の部位よりも吸収容量の小さい部位を設けた吸収性物品が開示されている。
【先行技術文献】
【特許文献】
【０００３】
【特許文献１】特開２０１０−７５４６４号公報
【特許文献２】特開２００５−２１３９０号公報
【発明の概要】
【発明が解決しようとする課題】
【０００４】
しかし、特許文献１の使い捨ておむつでは、排泄表示部が吸収体の低目付け部又は無目付け部からなるポケット部の脇に位置する非ポケット部に配置されているため、排尿時には尿が吸収体を透過して排泄表示部に到達できるが、排便時には、便の粘性が高いことから吸収体の高目付部を透過することが困難であり、排泄表示部に到達できない虞がある。
【０００５】
また、特許文献２の吸収性物品では、他の部位よりも吸収容量が小さい低吸収部に対応して配置された組成物は、親水性の組成物であるため、尿中の水分にも、便中の水分にも反応してしまい、吸収性物品の外面より尿又は便のどちらが排泄されたか区別ができない。また、先に排尿が行われて組成物が反応してしまった場合には、その後の排便に対して反応が困難になり、排便を検知できない可能性がある。
【０００６】
本発明は、上記のような従来の問題に鑑みてなされたものであって、その目的は、便の水分が吸収体をスムーズに透過し、便の水分を便インジケータまで到達させることが可能な吸収性物品を提供することにある。
【課題を解決するための手段】
【０００７】
上記目的を達成するための主たる発明は、展開状態の平面視にて、長手方向と幅方向と厚さ方向とを有し、液吸収性の吸収体と、便と接触することにより所定の反応を呈する便インジケータとを有する吸収性物品であって、前記吸収体は、前記幅方向の中央部に低坪量部を有し、前記低坪量部の坪量は、前記低坪量部に前記幅方向の外側から隣接する領域の坪量よりも低く、前記便インジケータは、前記吸収体の前記厚さ方向の非肌側に設けられており、前記便インジケータと前記低坪量部とは、前記長手方向及び前記幅方向において重複する部分を有する吸収性物品である。
本発明の他の特徴については、本明細書及び添付図面の記載により明らかにする。
【発明の効果】
【０００８】
本発明によれば、便の水分が吸収体をスムーズに透過し、便の水分を便インジケータまで到達させることが可能な吸収性物品を提供できる。
【図面の簡単な説明】
【０００９】
【図１】おむつ１が展開かつ伸長された状態における平面図である。
【図２】図１に示す線Ａ−Ａでの断面図である。
【図３】低坪量部２１Ａの別の構成を示す部分拡大断面図である。
【図４】尿インジケータ４０及び便インジケータ５０の図柄の一例を示す図である。
【図５】おむつ１の変形例を示す図である。
【発明を実施するための形態】
【００１０】
本明細書及び添付図面の記載により、少なくとも以下の事項が明らかとなる。
展開状態の平面視にて、長手方向と幅方向と厚さ方向とを有し、液吸収性の吸収体と、便と接触することにより所定の反応を呈する便インジケータとを有する吸収性物品であって、前記吸収体は、前記幅方向の中央部に低坪量部を有し、前記低坪量部の坪量は、前記低坪量部に前記幅方向の外側から隣接する領域の坪量よりも低く、前記便インジケータは、前記吸収体の前記厚さ方向の非肌側に設けられており、前記便インジケータと前記低坪量部とは、前記長手方向及び前記幅方向において重複する部分を有する、ことを特徴とする吸収性物品である。
【００１１】
このような吸収性物品によれば、吸収体に坪量の低い低坪量部を設け、厚さ方向において低坪量部の非肌側に便インジケータを配置させることで、便の水分が低坪量部を通って吸収体をスムーズに透過できるようになる。それにより、便インジケータまでへの便の水分の到達を向上させ、便インジケータを有効に反応させることができる。
【００１２】
かかる吸収性物品であって、前記低坪量部は、少なくとも前記幅方向の中央部において坪量がゼロである領域を有することが望ましい。
【００１３】
このような吸収性物品によれば、低坪量部に坪量がゼロである領域を設けることで、便の水分は坪量がゼロの領域を透過してより下層に引き込まれ易くなる。下層への引き込み性が向上することによって、便インジケータの反応を高めることができる。
【００１４】
かかる吸収性物品であって、前記低坪量部は、少なくとも一部において、前記低坪量部に前記幅方向の外側から隣接する領域の密度よりも密度が高い高密度領域を有していることが望ましい。
【００１５】
このような吸収性物品によれば、低坪量部に高密度領域を設けることで、他の吸収体部分と低坪量部とによって粗密構造が形成され、密度の高い低坪量部に便の水分を引き込み易くなる。そのため、少量の便でも便インジケータを有効に反応させることができる。
【００１６】
かかる吸収性物品であって、前記便インジケータは、前記厚さ方向において、前記高密度領域の非肌側に設けられており、前記便インジケータと前記高密度領域とは、前記長手方向及び前記幅方向において重複する部分を有することが望ましい。
【００１７】
このような吸収性物品によれば、低坪量部の高密度領域による粗密構造から、高密度領域には便が引き込まれ易く、便インジケータを厚さ方向において高密度領域と対応するように配置させることで、便の引き込み性が向上し、便インジケータをより有効に反応させることができる。
【００１８】
かかる吸収性物品であって、前記長手方向において、前記低坪量部の中心は、前記吸収性物品の中心よりも後側に位置していることが望ましい。
【００１９】
このような吸収性物品によれば、着用者の肛門が対向する領域である、吸収性物品の長手方向の中心よりも後側に低坪量部を設けることで、効率的に便を引き込むことができる。
【００２０】
かかる吸収性物品であって、前記長手方向において、前記低坪量部の前側端は、前記吸収性物品の中心よりも後側に位置していることが望ましい。
【００２１】
このような吸収性物品によれば、低坪量部の配置を吸収性物品の後方領域のみにすることで、便及び尿共に流れ込みやすい長手方向の中心部において、高い吸収性を保つことができる。
【００２２】
かかる吸収性物品であって、前記低坪量部は、前記吸収性物品の前記長手方向の中心よりも後側に配置されている面積が、前記吸収性物品の前記長手方向の中心よりも前側に配置されている面積よりも大きく、前記便インジケータは、前記吸収性物品の前記長手方向の中心よりも後側に配置されている面積が、前記吸収性物品の前記長手方向の中心よりも前側に配置されている面積よりも大きいことが望ましい。
【００２３】
このような吸収性物品によれば、着用者の肛門位置が対向する、吸収性物品の長手方向の中心よりも後側において低坪量部の面積が大きいことで、より確実に便を引き込むことができる。同様に、便インジケータも排便位置に近い吸収性物品の長手方向の後方領域により多く配置されるため、便インジケータが広範囲に亘って有効に反応できる。
【００２４】
かかる吸収性物品であって、前記便インジケータの尿に対する反応は、前記便インジケータの便に対する反応と異なることが望ましい。
【００２５】
このような吸収性物品によれば、吸収性物品において排泄された便を精度よく検出することができる。
【００２６】
かかる吸収性物品であって、前記吸収体よりも前記厚さ方向の非肌側に設けられたバックシートを有し、前記便インジケータは、前記厚さ方向において、前記低坪量部と前記バックシートとの間に位置し、便と接触すると視覚的に変化することが望ましい。
【００２７】
このような吸収性物品によれば、着用者の便に反応して便インジケータが視覚的に変化することで、吸収性物品の外面から排便の有無を迅速且つ容易に認識できる。
【００２８】
かかる吸収性物品であって、前記厚さ方向において、前記吸収体と接するように配置されるセカンドシートをさらに備え、前記セカンドシートと前記低坪量部とは、前記長手方向及び前記幅方向において重複する部分を有することが望ましい。
【００２９】
このような吸収性物品によれば、便の水分の引き込み性を向上させるセカンドシートを低坪量部と重なるように設けることで、厚さ方向のより下層側に便を浸透・透過させ易くなり、便インジケータへの便の到達を向上させる。
【００３０】
かかる吸収性物品であって、前記便インジケータの前記長手方向の長さは、前記低坪量部の前記長手方向の長さよりも長いことが望ましい。
【００３１】
このような吸収性物品によれば、便インジケータの長さが長手方向に長いことで、排便後に視覚的に変化した便インジケータを様々な角度から確認し易くなり、早期に排便に気付くことができる。
【００３２】
かかる吸収性物品であって、前記便インジケータは、前記長手方向及び前記幅方向において、前記低坪量部の両端部よりも内側に位置することが望ましい。
【００３３】
このような吸収性物品によれば、長手方向及び幅方向においても低坪量部に包含されるように便インジケータを配置することで、便インジケータのいずれの部分にも便の水分が到達し易くなる。
【００３４】
かかる吸収性物品であって、前記吸収体よりも前記厚さ方向の肌側に設けられたトップシートと、前記トップシートよりも前記厚さ方向の非肌側に設けられたセカンドシートとをさらに備え、前記便インジケータは、前記厚さ方向において、前記吸収体の前記低坪量部と前記バックシートとの間に配置され、前記幅方向において、前記低坪量部と対応する領域にて、前記トップシートと前記セカンドシートとが前記厚さ方向に接合されていることが望ましい。
【００３５】
このような吸収性物品によれば、低坪量部と対応する領域において、トップシートとセカンドシートとを接合することで、トップシートとセカンドシート間において厚さ方向に空間が生じず、厚さ方向非肌側への便の水分の引き込み性を向上させることができる。
【００３６】
かかる吸収性物品であって、前記吸収体は、吸収性コアと、前記吸収性コアの肌側面及び非肌側面を覆うコアラップシートとを有し、前記幅方向において、前記低坪量部と対応する領域にて、前記セカンドシートと前記コアラップシートとが前記厚さ方向に接合されていることが望ましい。
【００３７】
このような吸収性物品によれば、低坪量部と対応する領域において、セカンドシートとコアラップシートとを接合することで、セカンドシートとコアラップシートとの間において厚さ方向に空間が生じず、厚さ方向非肌側への便の水分の引き込み性を向上させることができる。
【００３８】
かかる吸収性物品であって、前記吸収体よりも前記厚さ方向の非肌側に設けられたバックシートを有し、前記幅方向において、前記低坪量部と対応する領域にて、前記コアラップシートと前記バックシートとが前記厚さ方向に接合されている。
【００３９】
このような吸収性物品によれば、低坪量部と対応する領域において、コアラップシートとバックシートとを接合することで、コアラップシートとバックシートとの間において厚さ方向に空間が生じず、吸収体を透過した便の水分が便インジケータに到達し易くなる。
【００４０】
かかる吸収性物品であって、前記吸収体の前記低坪量部は、少なくとも前記幅方向の中央部において坪量がゼロである領域を有し、前記幅方向において、前記坪量がゼロである領域と対応する領域にて、前記トップシートと、前記セカンドシートと、前記コアラップシートと、前記バックシートとが前記厚さ方向に接合されていることが望ましい。
【００４１】
このような吸収性物品によれば、各シート間において厚さ方向に空間が生じず、厚さ方向非肌側への便の水分の引き込み性を向上させることができる。
【００４２】
かかる吸収性物品であって、前記コアラップシートは、前記吸収性コアの肌側面を覆う肌側部と、非肌側面を覆う非肌側部を有し、前記幅方向において、前記坪量がゼロである領域と対応する領域にて、前記コアラップシートの前記肌側部と前記非肌側部とが前記厚さ方向に接合されていることが望ましい。
【００４３】
このような吸収性物品によれば、コアラップシートの肌側部と非肌側部との間において厚さ方向に空間が生じず、厚さ方向非肌側への便の水分の引き込み性を向上させることができる。
【００４４】
かかる吸収性物品であって、前記吸収体の前記低坪量部は、少なくとも前記幅方向の中央部において坪量がゼロである領域を有し、前記便インジケータと前記坪量がゼロである領域とは、前記長手方向及び前記幅方向において重複する部分を有し、前記吸収体の前記厚さ方向の非肌側において、尿と接触することにより前記所定の反応とは異なる反応を呈する一対の尿インジケータを設け、前記吸収体において前記低坪量部以外の部分である非低坪量部と、前記一対の尿インジケータとは、前記長手方向及び前記幅方向において重複する部分を有することが望ましい。
【００４５】
このような吸収性物品によれば、便インジケータを低坪量部の坪量がゼロである領域に設けることで、便の水分が吸収体を透過し易くなり、尿インジケータを低坪量部とは異なる非低坪量部に対応させて配置することで、尿インジケータが便によって汚染されるのを防ぐ。また、便の油膜によって尿インジケータの反応が低下してしまうことも防ぐことができ、尿インジケータの尿への反応を阻害しない。
【００４６】
＝＝＝実施形態＝＝＝
本発明に係る吸収性物品として、乳幼児用のテープ型使い捨ておむつを例に挙げて実施形態を説明する。ただし、これに限らず、例えば、パンツ型やパッドタイプの使い捨ておむつ、大人用のテープ型使い捨ておむつ等にも本発明を適用できる。
【００４７】
＜テープ型使い捨ておむつ１の基本構成＞
図１は、テープ型使い捨ておむつ１（以下「おむつ」ともいう）が展開かつ伸長された状態における平面図である。図２は、図１に示す線Ａ−Ａでの断面図である。おむつ１を伸長させた状態とは、おむつ１の展開状態において、おむつ１に生じていた皺が実質的に視認されなくなる程に伸長させた状態であり、おむつ１を構成する各部材（例えば後述するトップシート２２等）の寸法がその部材単体の寸法と一致又はそれに近い長さになるまでおむつ１が伸長した状態である。
【００４８】
本実施形態のおむつ１は、所謂オープンタイプの使い捨ておむつであり、図１に示すように、前部３と、股下部５と、後部７とを有する。前部３は、着用者の前部（腹側、前胴回り）に位置することになる部分である。また、後部７は、着用者の後部（背側、後胴回り）に位置することになる部分である。股下部５は、前部３と後部７との間に位置することになる部分である。
【００４９】
以下の説明では、図１に示すように、各方向を定義する。すなわち、展開状態の平面視にて、前部３から後部７に向かう方向を「長手方向」とし、長手方向と直交する方向を「幅方向」とする。図１に示されている線Ｂ−Ｂは、長手方向におけるおむつ１の中心を示す線である。また、図２に示すように、長手方向及び幅方向と直交する方向を「厚さ方向」とし、着用者の肌の側を「肌側」とし、その逆側を「非肌側」とする。
【００５０】
おむつ１は、中央帯状領域１２と、サイドフラップ１４と、レッグギャザー１６と、レッグサイドギャザー１７とを有する。一対のサイドフラップ１４は、後部７において、ファスニングテープ３０がそれぞれ取り付けられている。
【００５１】
中央帯状領域１２は、前部３、股下部５及び後部７によって構成された幅方向の中央部に位置する帯状の領域である（図１参照）。中央帯状領域１２は、着用者によって排泄された尿等の液体を吸収し保持する部位である。中央帯状領域１２は、液保持性の吸収体２１を含む縦長の形状（長手方向に沿った形状）を有する。中央帯状領域１２は、主に、吸収体２１と、同吸収体２１を肌側から覆う液透過性のトップシート２２と、同吸収体２１を非肌側から覆う液不透過性のバックシート２３、及び、おむつ１の外装をなす外装シート２７（例えば不織布）とを有する（図２参照）。中央帯状領域１２には、さらに、液透過性であるセカンドシート３５が設けられているが、セカンドシート３５を必ずしも設けなくても良い。
【００５２】
本実施形態の吸収体２１は、図２に示すように、尿等の排泄物を吸収する吸収性コア２４と、吸収性コア２４を厚さ方向の肌側及び非肌側の両側からそれぞれ覆う液透過性のコアラップシート２５とを有している。コアラップシート２５に好適な材料としては、ティッシュペーパーや不織布等を例示できる。
吸収体２１（吸収性コア２４）は、前部３、股下部５及び後部７にわたって配置されている。本実施形態の吸収性コア２４は、所定形状の一例としての平面視略砂時計形状を有する。また、吸収性コア２４は、少なくとも股下部５に設けられていれば良い。吸収性コア２４を構成する液体吸収性素材としては、例えばパルプ繊維等の液体吸収性繊維や、高吸収性ポリマー（所謂ＳＡＰ）等の液体吸収性粒状物を使用することができる。また、液体吸収性繊維及び液体吸収性粒状物以外の液体吸収性素材を含んでいても良い。
【００５３】
中央帯状領域１２のうち少なくとも股下部５には、吸収体２１とバックシート２３との間に、長手方向に伸縮可能な一対の脚周り弾性部材２８（例えば糸ゴム）が設けられている。脚周り弾性部材２８は、股下部５の中央帯状領域１２に伸縮性を付与する部材である。本実施形態では、長手方向に伸長させた状態で脚周り弾性部材２８が取り付けられる。これにより、脚周り弾性部材２８は中央帯状領域１２の股下部５に対して長手方向に沿った収縮力を発現する。
【００５４】
サイドフラップ１４は、中央帯状領域１２の幅方向の両側部に位置する部位である。サイドフラップ１４は、前部３、股下部５及び後部７にわたって形成されている（図１参照）。股下部５におけるサイドフラップ１４の幅方向の長さ（幅）は、前部３及び後部７におけるサイドフラップ１４の幅方向の長さ（幅）よりも狭い。サイドフラップ１４は、主に、肌側シート２６とバックシート２３から構成されている（図２参照）。肌側シート２６は、前部３、股下部５及び後部７にわたって形成された肌側の部材であり、例えば不織布で構成されている。肌側シート２６は、レッグサイドギャザー１７（立体ギャザー）を構成する部材でもあり、肌側シート２６の外側の部位（図１の破線で表示された接合部２６Ａより外側の部位）がサイドフラップ１４を構成する。
【００５５】
一対のサイドフラップ１４には、長手方向に沿って伸縮するレッグギャザー弾性部材１５がそれぞれ設けられている。レッグギャザー弾性部材１５は、長手方向に沿って伸縮する弾性部材であり、おむつ１の着用時において、脚回り開口部に伸縮性を付与する部材である。すなわち、レッグギャザー弾性部材１５はおむつ１の脚繰り部を着用者の脚に合わせてフィットさせる脚回り弾性部材である。また、レッグギャザー弾性部材１５が股下部５の肌側シート２６及びバックシート２３に伸縮性を付与することによって、レッグギャザー１６が構成される。
レッグサイドギャザー１７は、脚繰りの隙間からの液漏れを防ぐための立体ギャザーである。一対のレッグサイドギャザー１７は、前部３、股下部５及び後部７にわたって長手方向に沿って形成されている（図１参照）。レッグサイドギャザー１７は、サイドフラップ１４の内側で中央帯状領域１２の両縁を覆うように形成されている。
レッグサイドギャザー１７（立体ギャザー）は、主に肌側シート２６の幅方向内側の部位から構成されている（図２参照）。股下部５の肌側シート２６の内縁は糸ゴム等のレッグサイドギャザー弾性部材１８によって伸縮性を有している。肌側シート２６は、中央帯状領域１２とサイドフラップ１４との間の接合部２６Ａで長手方向に沿って接合されている。おむつ１の着用時には、レッグサイドギャザー弾性部材１８の伸縮性によって肌側シート２６の接合部２６Ａよりも内側の領域が、接合部２６Ａを基点として着用者の肌側に立ち上がり、排泄物等の横漏れを抑制する。
【００５６】
ファスニングテープ３０は、おむつ１の後部７においてサイドフラップ１４の幅方向の両側部に配置されている（図１参照）。そして、後述するターゲットテープ２９（図1）に各ファスニングテープ３０を係止することにより、おむつ１の胴回り開口及び脚回り開口が形成され、着用者の身体（胴）に対しておむつ１の位置を固定することができる。
【００５７】
中央帯状領域１２の前部３には、ターゲットテープ２９が設けられている（図１参照）。ターゲットテープ２９は、前部３のバックシート２３の非肌側に配置されている。ターゲットテープ２９は、ファスニングテープ３０と係合可能な部材であり、例えば不織布によって形成されている。ターゲットテープ２９は、ファスニングテープ３０を係合させるターゲット領域を構成する。なお、バックシート２３の非肌側にターゲットテープ２９を配置する代わりに、バックシート２３を構成している最外層の不織布にターゲット領域を直接形成しても良い。そして、ファスニングテープ３０をターゲットテープ２９に係合させることによって、おむつ１を着用させることになる。
【００５８】
本実施形態のおむつ１は、おむつ１の幅方向の中央部に便インジケータ４０を有しており、さらに、便インジケータ４０に対して幅方向外側に離間して、一対の尿インジケータ５０を設けている（図１参照）。便インジケータ４０及び尿インジケータ５０は、厚さ方向において、それぞれ吸収体２１の非肌側に配置される。尿インジケータ５０は、従来の一般的なおむつに採用されているｐＨ指示薬を含むインジケータとして構成されている。例えば、尿インジケータ５０は、尿のｐＨを反応因子（尿インジケータ反応因子）として、尿と接触することによって所定の反応（例えば呈色反応）を呈することにより、尿が排出されたことを検知する。便インジケータ４０の詳細については後述する。
【００５９】
＜便インジケータ４０の原理＞
便インジケータ４０は、おむつ１等の吸収性物品用の便インジケータであって、便中に含まれる所定の反応因子（便インジケータ反応因子）と接触することによって所定の反応（例えば呈色反応）を呈することにより、便が排出されたことを検知する。本実施形態では、便インジケータ４０が便中の生体物質を検知する化学成分を含み、この化学成分の便への応答と、尿への応答が異なることにより、便の排出のみを検出することを可能としている。
【００６０】
例えば、便インジケータ４０に含まれる化学成分が検知する生体物質をたんぱく質とする場合、当該化学成分としては、ｐＨ指示薬を用いることが好ましい。一般に、たんぱく質は、アミノ酸が重合した構造を有しており、たんぱく質の主鎖の両末端や側鎖に酸性及び塩基性の官能基を有しているため、一定以上のたんぱく質が存在する場合、ｐＨ指示薬を変色させることができる（たんぱく誤差法）。本実施形態では、便中の食物由来の未消化のたんぱく質や、腸内細菌から分泌されるたんぱく質等を検知することで、ｐＨ指示薬が便に応答するようにしている。具体的なｐＨ指示薬としては、例えば、テトラフェノールブルー、ブロモフェノールブルー、ブロモクレゾールグリーン、チモールフタレイン等を使用することができる。さらに、ｐＨ指示薬は、肌に対して安全であり、湿気や日光による保管性に優れたものであることが望ましい。
【００６１】
また、便インジケータ４０では、排泄物が便であるか尿であるかを誤検出しないように、便インジケータ４０に含まれる化学成分が便に応答し、尿には応答しないようにすることが望ましい。そこで、本実施形態における便インジケータ４０は、所定濃度以上の便インジケータ反応因子（たんぱく質等）に応答して呈色反応等の反応を示し、便インジケータ反応因子が所定濃度よりも小さい場合には、反応を生じ難くしている。
【００６２】
一般に、健常者の尿中には、たんぱく質は含まれておらず、非健常者であっても、尿中のたんぱく質は、１０，０００ｍｇ／Ｌを下回る。よって、本実施形態においては、ｐＨ指示薬を使用したたんぱく質誤差法により、便インジケータ５０が、１５０ｍｇ／Ｌ以上のたんぱく質に応答することが好ましく、５，０００ｍｇ／Ｌ以上のたんぱく質に応答することがより好ましく、１０，０００ｍｇ／Ｌ以上のたんぱく質に応答することが更に好ましい。例えば、化学成分としてブロモフェノールブルーを使用する条件で、便インジケータ５０が１５０ｍｇ／Ｌ以上のたんぱく質に応答する場合、便インジケータ５０における１ｃｍ２あたりのｐＨ指示薬の適用量を、１６．３μｇとすることが好ましく、便インジケータ５０が５，０００ｍｇ／Ｌ以上のたんぱく質に応答する場合、便インジケータ５０における１ｃｍ２あたりのｐＨ指示薬の適用量を、０．５μｇとすることが好ましく、便インジケータ５０が１０，０００ｍｇ／Ｌ以上のたんぱく質に応答する場合、便インジケータ５０における１ｃｍ2あたりのｐＨ指示薬の適用量を、０．２５μｇとすることが好ましい。なお、ｐＨ指示薬の適用量を１７．０μｇ以下とすることにより、吸収性物品の着用者に対する便インジケータ４０の安全性が高まる。
【００６３】
本実施形態では、このようにｐＨ指示薬の塗布量を調整することによって、便インジケータ４０が便に対して反応可能な範囲と比較して、尿に対して反応可能な範囲を相対的に小さくすることができる。言い換えると、便インジケータ４０の便に対する反応と、便インジケータ４０の尿に対する反応とを異ならせることができる。これにより、便インジケータ４０を尿に対して反応し難くすることができる。
【００６４】
また、便インジケータ４０は、上述したたんぱく質を反応因子として限定するものではない。例えば、便中に含まれる腸内細菌や、便の比重と相関関係がある便のイオン強度、胆汁色素のビリルビン等、便に由来する物質に反応するようにしても良い。これらの成分は、一般に、尿に含まれていない、若しくは便と比較して尿に含有される量や比重が非常に小さい。したがって、たんぱく質を反応因子とする場合と同様に、便インジケータ４０が尿に対して反応し難く、便に対して反応しやすくなる。したがって、おむつ１において排泄された便を精度よく検出することができる。
【００６５】
＜便インジケータ４０の具体的構成＞
便インジケータ４０は、上述のような化学成分（例えばｐＨ指示薬）を含んだ接着剤（例えばホットメルト接着剤ＨＭＡ）をおむつ１のバックシート２３の肌側面に塗工することによって形成されている。本実施形態では、図１に示されるように、幅方向の中央において、股下部５から後部７にわたって、長手方向に沿った帯状（若しくは線状）の領域に、コーターを用いてホットメルト接着剤（ＨＭＡ）を塗工することによって便インジケータ４０が形成されている。このようなコーター塗工によれば、均等な膜厚でムラの少ない便インジケータ４０を形成することが可能となり、便の検出精度を高めることができる。また、製造コストを抑えることができる。なお、尿インジケータ５０についても同様にして形成することができる。
【００６６】
また、化学成分をインクと混ぜて、バックシート２３やコアラップシート１２に印刷塗工することによって便インジケータ４０が形成されるのであっても良い。また、化学成分を染みこませた濾紙や不織布を、ホットメルト接着剤（ＨＭＡ）や超音波溶着でバックシート２３やコアラップシート１２に接合固定することによって便インジケータ４０が形成されるのであっても良い。
【００６７】
＜低坪量部２１Ａについて＞
上述のように、本実施形態においては、吸収体２１の非肌側に便インジケータ４０を配置して便を検出するようにしているが、通常、便は粘性が高く流動性が低いため、吸収体を厚さ方向に透過し難い。そのため、便インジケータ４０が吸収体２１の非肌側に設けられている場合、当該便インジケータ４０に便が到達しにくくなるおそれがある。
【００６８】
これに対し、本実施形態では、吸収体２１が、幅方向の中央部に低坪量部２１Ａを有している（図２参照）。低坪量部２１Ａにおいては、坪量が、低坪量部２１Ａに幅方向の外側から隣接する領域２１Ｂ、２１Ｂの坪量よりも低くなっている。ここで、坪量とは、単位面積当たりの質量のことである。本実施形態の低坪量部２１Ａの坪量は、０〜２００ｇ／ｍ2程度であることが好ましく、１００ｇ／ｍ2程度であることがより好ましい。隣接する領域２１Ｂのそれぞれの坪量は、３７０ｇ／ｍ2程度が好ましい。尚、低坪量部２１Ａの坪量が２００g/m2を超えてしまうと、坪量が高すぎて便が低坪量部２１Ａを透過することが困難になる。
【００６９】
ここで、前述の便インジケータ４０は、図２に示すように、吸収体２１の厚さ方向の非肌側に設けられている。また、便インジケータ４０と低坪量部２１Ａとは、図１に示すように、長手方向及び幅方向において重複する部分を有する。本実施形態のように、厚さ方向において低坪量部２１Ａの非肌側に便インジケータ４０を配置させることで（図２参照）、便の水分が低坪量部２１Ａを通って吸収体２１をスムーズに透過できるようになる。それにより、便インジケータ４０への便の水分の到達を向上させ、便インジケータ４０を有効に反応させることができる。
【００７０】
また、低坪量部２１Ａは、少なくとも一部において、低坪量部２１Ａに幅方向の外側から隣接する領域２１Ｂ、２１Ｂの密度よりも密度が高い高密度領域２１Ａ’を有していることが好ましい（図３参照）。密度の測定方法は、吸収体２１に含まれるパルプ繊維及びＳＡＰなどを合算した坪量（ｇ／ｍ2）を算出し、当該部分の吸収体２１の厚み（ｍｍ）を測定する。そして上記坪量と厚みの数値から密度を算出する。本実施形態の低坪量部２１Ａ’の密度は、好ましくは２００〜９００ｋｇ／ｍ3であり、より好ましくは３３３ｋｇ／ｍ3程度である。領域２１Ｂ、２１Ｂの密度は、１８５ｋｇ／ｍ3程度が好ましい。低坪量部２１Ａに高密度領域２１Ａ’を設けることで、他の吸収体２１の部分（領域２１Ｂ、２１Ｂ）と低坪量部２１Ａとによって粗密構造が形成され、密度の高い低坪量部２１Ａ側に便の水分を引き込み易くなる。そのため、少量の便でも便インジケータ４０を有効に反応させることができる。
【００７１】
さらに、便インジケータ４０は、厚さ方向において、上述の高密度領域２１Ａ’の非肌側であって、かつ、長手方向及び幅方向において高密度領域２１Ａ’と重複する部分を有するように配置されている。上述のように、低坪量部２１Ａの高密度領域２１Ａ’と領域２１Ｂ、２１Ｂとによる粗密構造から、高密度領域２１Ａ’には便が引き込まれ易く、さらに便インジケータ４０を厚さ方向において高密度領域２１Ａ’と対応するように配置させることで、便インジケータ４０への便の引き込み性が向上し、便インジケータ４０をより有効に反応させることができる。
【００７２】
次に、低坪量部２１Ａにおいて、坪量がゼロである部分を有する場合について説明する。図３は、低坪量部２１Ａ（吸収性コア２４）の別の構成を示す部分拡大断面図である。図３に示すように、低坪量部２１Ａは、少なくとも幅方向の中央部において、坪量がゼロである領域２１Ｃ（以下、「スリット２１Ｃ」ともいう）を有していてもよい。この場合、高密度領域２１Ａ’は、低坪量部２１Ａにおいて、スリット２１Ｃよりも幅方向の外側且つ長手方向に沿って一対設けられている。低坪量部２１Ａに高密度領域２１Ａ’を設けることで粗密構造を形成するだけでなく、図３のように、各高密度領域２１Ａ’は幅方向中央部に向かって坪量を徐々に低減させた勾配を有するため、より幅方向中央部に向かって便の水分を引き込み易くなっている。さらに、低坪量部２１Ａの幅方向中央部に坪量がゼロである領域２１Ｃ（スリット２１Ｃ）を設けることで、便の水分は領域２１Ｃを透過することによって、より厚さ方向の下層に引き込まれることとなる。下層への引き込み性の向上により、結果として便インジケータ４０の反応を向上させることとなる。尚、図３の高密度領域２１Ａ’は、幅方向中央に向けて坪量が低くなるように勾配を有していたが、これに限定されるものではない。各高密度領域２１Ａ’においては、幅方向の外側から隣接する領域２１Ｂ、２１Ｂの坪量よりも低い坪量であれば、所定の均一の坪量を有していても、或いは部分的に坪量を変化させてもよい。
【００７３】
また、本実施形態においては、上述のスリット２１Ｃと便インジケータ４０とは、長手方向及び幅方向において重複する部分を有している。これにより、便の水分は、低坪量部２１Ａのうち坪量がゼロである領域（スリット２１Ｃ）を透過することができ、吸収体２１をスムーズに透過する。また、図３に示すように、吸収体２１（吸収性コア２４）の厚さ方向の非肌側において、便インジケータ４０に対して幅方向外側に離間して、一対の尿インジケータ５０が設けられている。そして、吸収体２１における低坪量部２１Ａ以外の部分である非低坪量部（２１Ｂ）と、一対の尿インジケータ５０とは、長手方向及び幅方向において重複する部分を有している。各尿インジケータ５０を低坪量部２１Ａとは異なる非低坪量部に対応させて配置することで、各尿インジケータ５０が便によって汚染されるのを防ぐことができる。また、便の油膜によって尿インジケータ５０の反応が低下してしまうことも抑制でき、尿インジケータ５０の尿への反応を阻害しない。
【００７４】
また、本実施形態において、低坪量部２１Ａは、長手方向における低坪量部２１Ａの中心が、おむつ１の長手方向の中心を示す図１の線Ｂ−Ｂよりも後側に位置していることが好ましい。おむつ１の長手方向の後方領域は、着用者の肛門が対向する領域であり、当該領域に低坪量部２１Ａを設けることで、便を効率的に引き込むことができる。
【００７５】
また、低坪量部２１Ａの長手方向における前側端は、おむつ１の長手方向の中心（図１の線Ｂ−Ｂ）よりも後側に位置していてもよい。それにより、低坪量部２１Ａは、おむつ１の長手方向の後側のみに配置されることになり、排便及び排尿時に、便及び尿共に流れ込みやすい長手方向の中心においては、高い吸収性を保つことができる。
【００７６】
さらに、低坪量部２１Ａは、長手方向において、おむつ１の中心である図１の線Ｂ−Ｂよりも後側に配置されている面積が、線Ｂ−Ｂよりも前側に配置されている面積よりも大きいことが好ましい。つまり、おむつ１の長手方向において、後側により多くの低坪量部２１Ａが存在していることが好ましい。これにより、着用者の肛門位置に対応するおむつ１の後側領域において、より多くの便及び便の水分が低坪量部２１Ａを透過でき、便の引き込み性が向上する。
【００７７】
同様に、便インジケータ４０も、長手方向において、おむつ１の中心である図１の線Ｂ−Ｂよりも後側に配置されている面積が、線Ｂ−Ｂよりも前側に配置されている面積よりも大きいことが好ましい。便インジケータ４０が排便位置に近いおむつ１の後側領域により多く配置されることで、便インジケータ４０は、広範囲に亘って有効に反応できる。
【００７８】
＜セカンドシート３５について＞
本実施形態において、セカンドシート３５は、厚さ方向においてトップシート２２よりも非肌側、且つ、吸収体２１のコアラップシート２５と接するように配置されている（図２参照）。さらに、セカンドシート３５と低坪量部２１Ａとは、長手方向及び幅方向において重複する部分を有している（図１参照）。セカンドシート３５の一例としては、レーヨンとパルプの混綿繊維シートが挙げられる。当該シートの坪量（ｇ／ｍ２）は、３５ｇ／ｍ２程度が好ましく、１層目がレーヨン１００％、２層目がパルプ繊維１００％、３層目がレーヨン１００％の３層構造になっている。セカンドシート３５は、親水素材から構成されるのが好ましく、親水素材の効果により便中の水分との親和性が高く、より便を吸収しやすくなる。本実施形態のセカンドシート３５では、レーヨン単体ではなくパルプ繊維をレーヨン間に配置することによって、レーヨン繊維同士の隙間をパルプ繊維が穴埋めして繊維同士を繋ぐ役割をし、密度を高めることで便中の水分をより一層引き込み易くしている。
【００７９】
このように、セカンドシート３５は便の水分の引き上げ性が高いため、粒子と水分が混ざり合った状態のトップシート２２上の便のうち、水分だけをトップシート２２からセカンドシート３５へと浸透させることができる。セカンドシート３５に浸透した便は、粒子が除かれて水分が多いため、低坪量部２１Ａの高密度領域２１Ａ’の粗密構造により、セカンドシート３５から密度の高い低坪量部２１Ａに便を浸透・透過させ易くなる。結果として、便インジケータ４０への便の到達を向上させる。
【００８０】
＜便インジケータ４０及び尿インジケータ５０の一例について＞
本実施形態の便インジケータ４０及び尿インジケータ５０は、図１に示されるような帯状のパターンではなく、それぞれ異なる図柄のパターンによって形成されても良い。図４は、尿インジケータ４０及び便インジケータ５０の図柄の一例を示す図である。便インジケータ４０は、厚さ方向において、低坪量部２１Ａと、吸収体２１よりも厚さ方向の非肌側に設けられたバックシート２３との間に位置し（図２参照）、便と接触すると視覚的に変化する。例えば、便インジケータ４０及び尿インジケータ５０は、図４に示すような図柄で構成されていてもよい。図４では、顔のマークが尿インジケータ５０であり、星型マークが便インジケータ４０である。各便インジケータ４０及び尿インジケータ５０は、同一又は異なる所定の色を有しており、排尿後又は排便後に当初の所定の色とは異なる別の色を呈するように構成されている。着用者の便に反応して便インジケータ４０及び尿インジケータ５０が視覚的に変化することで、おむつ１の外面から排便・排尿の有無を迅速且つ容易に認識することができ、便又は尿の漏れを低減することができる。また、便に関しては、長時間便が肌に付着することによる肌トラブルを抑制できる。さらに、おむつ外面から排便或いは排尿の区別がつくため、排便時の際は、おむつ交換者が排便時の交換に伴った準備をして交換作業に臨むことが可能となる。
【００８１】
また、図１に示すように、便インジケータ４０長手方向の長さは、低坪量部２１Ａの長手方向の長さよりも長いことが好ましい。便インジケータ４０の長さを長く設けることで、排便後に視覚的に変化した便インジケータを様々な角度から確認し易くなり、早期に排便に気付くことができる。
【００８２】
しかしながら、便インジケータ４０の長手方向の長さは、必ずしも低坪量部２１Ａの長手方向の長さよりも長く設定する必要はなく、長手方向及び幅方向において、低坪量部２１Ａの両端部よりも内側に位置するように便インジケータ４０を設けてもよい。長手方向及び幅方向の両方向において低坪量部２１Ａに包含されるように便インジケータ４０を配置することによって、便インジケータのいずれの部分にも便の水分が到達し易くなる。
【００８３】
本実施形態において、便インジケータ４０は、厚さ方向において、吸収体２１の低坪量部２１Ａとバックシート２３との間に配置されている。そして、幅方向において低坪量部２１Ａと対応する領域では、トップシート２２とセカンドシート３５、セカンドシート３５とコアラップシート２５、及びコアラップシート２５とバックシート２３が、それぞれ厚さ方向に接合されている。
【００８４】
また、図３に示すように、低坪量部２１Ａが、少なくとも幅方向の中央部においてスリット２１Ｃを有している場合に、トップシート２２、セカンドシート３５、コアラップシート２５、及びバックシート２３が厚さ方向に接合されていてもよい。その際、コアラップシート２５においては、吸収性コア２４の肌側面を覆う肌側部２５ａと、非肌側面を覆う非肌側部２５ｂとが、幅方向においてスリット２１Ｃと対応する領域にて、厚さ方向に接合されていることが好ましい。
【００８５】
各シートの接合方法は、ホットメルト接着剤等をコータースプレー法、スパイラルスプレー法、オメガスプレー法、カーテンスプレー法などの公知の塗布方法で塗布して固定する方法や、超音波溶着（ソニックシール）法などが挙げられる。
【００８６】
このように、低坪量部２１Ａ或いはスリットＣと幅方向に対応する領域において、厚さ方向に隣接する上記各シートをそれぞれ接合させることで、各シート間において厚さ方向に空間が生じず、厚さ方向非肌側への便の水分の引き込み性を向上させることができる。
【００８７】
また、各上記シート間の低坪量部２１における接合強度は、セカンドシート３５とコアラップシート２５との接合強度が、トップシート２２とセカンドシート３５との接合強度よりも高いことが好ましい。便の中には、通常、粒の大きな粒子と水分が混ざっているが、その粒子と水分が混ざった状態の最も便が透過しにくいトップシート２２において、ホットメルト接着剤等の接着剤の密度を低くすることで、便がトップシート２２を透過するのを妨げにくくする。一方で、セカンドシート３５には、トップシート２２から濾過された便の水分が浸透しているため、セカンドシート３５とコアラップシート２５とを接合するホットメルト接着剤等の接着剤の密度を高くしても、浸透を阻害しない。
【００８８】
図５は、おむつ１の変形例を示す図である。図５における吸収体２１の股下部５には、幅方向の両端部の後部７寄りに一対の切欠き部６０、６０が形成され、同様に、幅方向の両端部の前部３寄りに一対の切欠き部６０、６０が形成されている。切欠き部６０は、二対でなくてもよく、一対でもよい。一対の切欠き部６０は、吸収体２１の幅方向の両端部が幅方向内側に向かって山形形状に形成されている。尚、切欠き部６０の形状は図５に示す形状に限らない。また、本変形例では、各切欠き部６０において吸収体２１（吸収性コア２４）が切り欠かれているが、吸収体２１の他の部分よりも液体吸収性素材の目付量を少なくすることによって形成されてもよい。
【００８９】
そして、図５に示すおむつ１では、後部７寄りの一対の切欠き部６０、６０に幅方向において挟まれる吸収体２１（吸収性コア２４）の部位と、便インジケータ４０とは、長手方向及び幅方向において重複する部分を有している。一対の各切欠き部６０によって吸収性コア２４のよれや、おむつ１と着用者との間に隙間が生じるのを抑え、排泄物の漏れを抑制できる。さらに、一対の切欠き部６０に挟まれる吸収性コア２４の部位は便をしっかりと確保できるため、その挟まれた部位に対応した位置に便インジケータ４０を配置することで、便インジケータ４０への便の到達も向上する。
【００９０】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【００９１】
上述の実施形態では、セカンドシート３５を厚さ方向においてトップシート２２とコアラップシート２５との間に配置しているが、吸収体２１と便インジケータ４０との間に、液体を拡散させる拡散シートとして配置してもよい。そうすることで、低坪量部２１Ａを透過した便の水分を吸収体２１の下層で拡散させ、便インジケータ４０をより広い範囲で反応させることができる。それにより、おむつ１外面からの視認性を高めることができる。
【００９２】
また、トップシート２２は、開口を有していてもよい。開口を有することによって、セカンドシート３５と便との接地面積を増やし、セカンドシート３５への便の透過性を向上させることができる。
【００９３】
また、上述の実施形態では、低坪量部２１Ａの形状は、図１に示す平面視において長手方向に長い長方形状であるが、形状はこの限りではない。例えば、正方形、幅方向に長い長方形状、ハート型等のパターン形状などでもよい。
【００９４】
また、図２及び図３に示す低坪量部２１Ａに幅方向の外側から隣接する領域２１Ｂ、２１Ｂにおいては、坪量が一定であることに限られず、例えば、幅方向において両端部から中央部に向かって坪量を段階的に低減させていくように形成してもよい。
【００９５】
また、上述の実施形態における低坪量部２１Ａは、その坪量が、低坪量部２１Ａに幅方向の外側から隣接する領域２１Ｂ、２１Ｂの坪量と比較して低くなっているが、これに限らず、例えば、吸収体の幅方向両端の坪量よりも低い坪量を有する低坪量部２１Ａであってもよい。
【００９６】
また、上述の実施形態では、低坪量部２１Ａの数は、おむつ１の幅方向の中央部に１つであったが、低秤量部２１Ａは複数設けられてもよい。この場合、各低坪量部２１Ａに対して長手方向及び幅方向において重複する部分を有するように便インジケータ４０を複数配置することよって、排便の検知をより向上させることもできる。
【符号の説明】
【００９７】
１  テープ型使い捨ておむつ（吸収性物品）
３  前部
５  股下部
７  後部
１２  中央帯状領域
１４  サイドフラップ
１５  レッグギャザー弾性部材
１６  レッグギャザー
１７  レッグサイドギャザー
１８  レッグサイドギャザー弾性部材
２１  吸収体
２１Ａ  低坪量部
２１Ａ’高密度領域
２１Ｂ  領域（非低坪量部）
２１Ｃ  スリット（坪量がゼロである領域）
２２  トップシート
２３  バックシート
２４  吸収性コア
２５  コアラップシート
２５ａ  肌側部
２５ｂ  非肌側部
２６  肌側シート
２６Ａ  接合部
２７  外装シート
２８  脚周り弾性部材
２９  ターゲットテープ
３０  ファスニングテープ
３５  セカンドシート
４０  便インジケータ
５０  尿インジケータ
６０  切欠き部
【図１】
2020081342.tif 000003
【図２】
2020081342.tif 000004
【図３】
2020081342.tif 000005
【図４】
2020081342.tif 000006
【図５】
2020081342.tif 000007